(57)【要約】【課題】本発明はＡＶコンテンツで画面を注視することなく再生ポイントを選択できる「ＡＶ再生装置」を提供。【解決手段】ＡＶコンテンツの再生入力手段、定常再生速度で再生させる再生制御手段を有するＡＶ再生装置で、再生制御手段は、映像を定常再生速度より大きい高速映像再生速度で再生させる高速映像再生制御手段、音声を高速映像再生速度より小さい確認音声再生速度で再生させる確認音声再生制御手段、高速映像再生制御手段及び確認音声再生手段での制御で音声及び映像を再生する際に、音声再生ポイントを確認音声再生速度より大きい速度をもってスキップさせる確認音声スキップ制御手段を有し、再生入力手段は確認音声再生速度にて再生された音声から音声選択ポイントを受付ける音声選択ポイント入力手段を有し、再生制御手段は選択された音声選択ポイントから再生させる構成となる。【選択図】図２
2017005351.tif 000002
【特許請求の範囲】
【請求項１】
再生するＡＶコンテンツの再生開始を受け付ける再生入力手段と、該再生入力手段により再生開始を受付けたＡＶコンテンツの音声と映像とを再生するＡＶコンテンツ再生部と、前記ＡＶコンテンツを前記ＡＶコンテンツ再生部により定常再生速度で再生させる再生制御手段とを有するＡＶ再生装置であって、
前記再生制御手段は、前記映像を、前記定常再生速度より大きい高速映像再生速度にて再生させる高速映像再生制御手段と、
前記音声を、前記高速映像再生速度より小さい確認音声再生速度にて再生させる確認音声再生制御手段と、
前記高速映像再生制御手段及び前記確認音声再生手段での制御に従って、前記ＡＶコンテンツの音声及び前記映像を再生している際に、予め定めた規則に従って、前記ＡＶコンテンツにおける前記音声の再生ポイントを前記確認音声再生速度より大きい速度をもってスキップさせる確認音声スキップ制御手段と、を有し、
前記再生入力手段は、前記確認音声再生制御手段により確認音声再生速度にて再生された音声から定常再生速度で再生すべき音声選択ポイントの選択を受付ける音声選択ポイント入力手段を有し、
前記再生制御手段は、前記音声選択ポイント入力手段で選択された前記音声選択ポイントから前記ＡＶコンテンツを定常再生速度により前記ＡＶコンテンツ再生部で再生させるＡＶ再生装置。
【請求項２】
前記確認音声再生速度は、前記定常再生速度と同一又は前記定常再生速度との速度差が所定範囲内である請求項１に記載のＡＶ再生装置。
【請求項３】
前記確認音声スキップ制御手段は、所定時間毎に前記音声の再生ポイントをスキップさせる請求項１又は２に記載のＡＶ再生装置。
【請求項４】
前記再生入力手段は、前記高速映像再生制御手段により高速映像再生速度にて再生された映像の映像選択ポイントの選択を受付ける映像選択ポイント入力手段を有し、
前記再生制御手段は、前記映像選択ポイント入力手段で選択された前記映像選択ポイントから前記ＡＶコンテンツを定常再生速度により前記ＡＶコンテンツ再生部で再生させる請求項１乃至３のいずれかに記載のＡＶ再生装置。
【請求項５】
前記映像選択ポイント入力手段への前記映像選択ポイントの選択は、前記ＡＶコンテンツが再生表示される表示部の表示画面の所定のボタン領域へのタッチ操作により行われ、前記音声選択ポイント入力手段への前記音声選択ポイントの選択は、前記表示画面の前記ボタン領域を除いた残りの領域へのタッチ操作により行われる請求項４に記載のＡＶ再生装置。
【請求項６】
請求項１乃至５に記載のＡＶ再生装置を搭載した車両が走行状態と停止状態の何れであるかを検出する車両進行状態検出手段を有し、
前記再生制御手段は、前記車両進行状態検出手段が前記車両を走行状態と検出したときは、前記映像選択ポイント入力手段による映像選択ポイントの選択の受付を停止するＡＶ再生装置。
【請求項７】
再生するＡＶコンテンツの再生開始を受け付ける再生入力ステップと、該再生入力手段により再生開始を受付けたＡＶコンテンツの音声と映像とをＡＶコンテンツ再生部により定常再生速度で再生させる再生制御ステップとを有するＡＶ再生方法であって、
前記再生制御ステップは、前記映像を、前記定常再生速度より大きい高速映像再生速度にて再生させる高速映像再生制御ステップと、
前記音声を、前記高速映像再生速度より小さい確認音声再生速度にて再生させる確認音声再生制御ステップと、
前記高速映像再生制御ステップ及び前記確認音声再生ステップでの制御に従って、前記ＡＶコンテンツの音声及び前記映像を再生している際に、予め定めた規則に従って、前記ＡＶコンテンツにおける前記音声の再生ポイントを前記確認音声再生速度より大きい速度をもってスキップさせる確認音声スキップ制御ステップと、を有し、
前記再生入力ステップは、前記確認音声再生制御ステップにより確認音声再生速度にて再生された音声から定常再生速度で再生すべき音声選択ポイントの選択を受付ける音声選択ポイント入力ステップを有し、
前記再生制御ステップは、前記音声選択ポイント入力ステップで選択された前記音声選択ポイントから前記ＡＶコンテンツを定常再生速度により前記ＡＶコンテンツ再生部で再生させるＡＶ再生方法。
【請求項８】
前記確認音声再生速度は、前記定常再生速度と同一又は前記定常再生速度との速度差が所定範囲内である請求項７に記載のＡＶ再生方法。
【請求項９】
前記確認音声スキップ制御ステップは、所定時間毎に前記音声の再生ポイントをスキップさせる請求項７又は８に記載のＡＶ再生方法。
【請求項１０】
前記再生入力ステップは、前記高速映像再生制御ステップにより高速映像再生速度にて再生された映像の映像選択ポイントの選択を受付ける映像選択ポイント入力ステップを有し、
前記再生制御ステップは、前記映像選択ポイント入力ステップで選択された前記映像選択ポイントから前記ＡＶコンテンツを定常再生速度により前記ＡＶコンテンツ再生部で再生させる請求項７乃至９のいずれかに記載のＡＶ再生方法。
【請求項１１】
前記映像選択ポイント入力ステップへの前記映像選択ポイントの選択は、前記ＡＶコンテンツが再生表示される表示部の表示画面の所定のボタン領域へのタッチ操作により行われ、前記音声選択ポイント入力ステップへの前記音声選択ポイントの選択は、前記表示画面の前記ボタン領域を除いた残りの領域へのタッチ操作により行われる請求項１０に記載のＡＶ再生方法。
【請求項１２】
請求項７乃至１１に記載のＡＶ再生方法によりＡＶコンテンツを再生する前記ＡＶコンテンツ再生部を搭載した車両が走行状態と停止状態の何れであるかを検出する車両進行状態検出ステップを有し、
前記再生制御ステップは、前記車両進行状態検出手段が前記車両を走行状態と検出したときは、前記映像選択ポイント入力手段による映像選択ポイントの選択の受付を停止するＡＶ再生方法。
【発明の詳細な説明】
【技術分野】
【０００１】
本発明は、ＡＶコンテンツの音声と映像とを再生するＡＶ再生装置及びＡＶ再生方法に
関する。
【背景技術】
【０００２】
ＡＶ（Audio Visual）コンテンツの音声と映像とを再生するＡＶ再生装置では、ＡＶコンテンツの途中にある所望シーンへの迅速なアクセスとその再生を図るべく、映像等を例えば２倍速、４倍速、８倍速、１６倍速等の速さで再生の順方向に早送り、再生の逆方向に早戻しを行う早送り／早戻しの機能を備えており、これらの機能を操作して所望のシーンの映像に到達したときに、当該到達シーンを再生ポイントとしてＡＶコンテンツを再生することができる。ＡＶコンテンツの通常の視聴速度である定常再生速度の８倍速度で映像を早送りして、所望の再生ポイントを選択して再生する手順を図５に示す。ＡＶコンテンツを再生表示する表示部１０１の画面上には、映像及び音声を定常再生速度で再生するための再生ボタン（Ｐｌａｙボタン）１０２と、早送りするための早送りボタン１０３と、早戻しするための早戻しボタン１０５とが表示されている。ＡＶコンテンツの再生の途中にある所望のシーンに迅速にアクセスするために早送りボタン１０３をタッチ操作すると、映像が例えば８倍速で早送りされる（設定により他の倍速可能）。例えば、早送り開始から実時間で４０秒経過後に、所望の画像１０６を見つけたとき（８倍速：４００秒後の画像）、再生ボタン１０２をタッチ操作することで、早送り開始より４００秒後の画像から定常再生速度でＡＶコンテンツを再生することができるが、所望の画像がＡＶコンテンツの後半にある場合等は、当初の画像から順に注視しなければならず当該所望の画像にアクセスするのに相当な時間と手間を要していた。
【０００３】
上記の点を解消すべく、所定倍速による早送り機能を操作して所望の画像へ迅速にアクセスし、かつ再生が可能なディスク再生装置が提案されている（例えば、特許文献１参照）。上記特許文献１に記載のディスク再生装置では、早送り再生又は早戻し再生を行う際に、各シーンの先頭フレームを順次再生させることで、各シーンの先頭部分の映像を順次表示するので、ユーザーは所望のシーンに効率よくアクセスすることができる。
【先行技術文献】
【特許文献】
【０００４】
【特許文献１】特開２００２−４４６１１号公報
【発明の概要】
【発明が解決しようとする課題】
【０００５】
上記ディスク再生装置によれば早戻し／早送りの機能により所望のシーンを迅速に再生することが可能となるが、例えば、後部座席で視聴している幼児に代わり、運転席で早送り／早戻しの操作を行う場合等、車両を運転中のときには表示画面を注視することができず、所望のシーンを選択することが困難となる。車両の運転中に限らず、機械操作や観測等を行っている場合も同様に画面を注視しての再生ポイントの選択が困難である。
【０００６】
本発明は、このような事情に鑑みてなされたもので、ＡＶコンテンツ等の早送り／早戻し操作において、画面を注視することなく所望の再生ポイントを容易に選択できるＡＶ再生装置の提供を目的とする。
【課題を解決するための手段】
【０００７】
上記課題を解決するために、本発明に係るＡＶ再生装置は、再生するＡＶコンテンツの再生開始を受け付ける再生入力手段と、該再生入力手段により再生開始を受付けたＡＶコンテンツの音声と映像とを再生するＡＶコンテンツ再生部と、前記ＡＶコンテンツを前記ＡＶコンテンツ再生部により定常再生速度で再生させる再生制御手段とを有するＡＶ再生装置であって、前記再生制御手段は、前記映像を、前記定常再生速度より大きい高速映像再生速度にて再生させる高速映像再生制御手段と、前記音声を、前記高速映像再生速度より小さい確認音声再生速度にて再生させる確認音声再生制御手段と、前記高速映像再生制御手段及び前記確認音声再生手段での制御に従って、前記ＡＶコンテンツの音声及び前記映像を再生している際に、予め定めた規則に従って、前記ＡＶコンテンツにおける前記音声の再生ポイントを前記確認音声再生速度より大きい速度をもってスキップさせる確認音声スキップ制御手段と、を有し、前記再生入力手段は、前記確認音声再生制御手段により確認音声再生速度にて再生された音声から定常再生速度で再生すべき音声選択ポイントの選択を受付ける音声選択ポイント入力手段を有し、前記再生制御手段は、前記音声選択ポイント入力手段で選択された前記音声選択ポイントから前記ＡＶコンテンツを定常再生速度により前記ＡＶコンテンツ再生部で再生させる構成となる。
【０００８】
このような構成によれば、ＡＶコンテンツの映像を定常再生速度より大きい高速映像再生速度で再生させると共に、当該ＡＶコンテンツの音声を前記高速映像再生速度より小さい確認音声再生速度にて再生させ、再生された確認音声速度での音声から定常再生速度で再生すべき音声選択ポイントの選択を受付けて当該音声選択ポイントからＡＶコンテンツを定常再生速度により再生するので、例えば、ＡＶ再生装置が車両に搭載されたときに、走行中の運転者であっても画面を注視することなくＡＶコンテンツの所望の再生ポイントを容易に選択できる。また、確認音声再生手段により再生される音声から定常再生速度で再生すべき音声選択ポイントを選択するために、該確認音声再生速度は高速映像再生速度より小さく設定されているが、ＡＶコンテンツにおける前記音声の再生ポイントを確認音声再生速度より大きい速度をもってスキップさせて、高速映像再生速度による再生映像とのズレの調整を図ることができる。例えば、ＡＶコンテンツにおける前記音声の再生ポイントを前記確認音声再生速度より大きい速度をもってスキップさせ、高速映像再生速度にて再生する映像に追い付くことが可能となる。上記「予め定めた規則」は、スキップさせる速度、スキップのタイミング等の予め定めた規則であり、映像高速再生速度、確認音声再生速度等も含む。また、「定常再生速度」とはＡＶコンテンツの音声及び映像を視聴する再生速度であり、「映像高速再生速度」とは映像を早送り、早戻しするための速度で、定常再生速度の２倍、４倍、８倍、１６倍等の速度が相当し、「確認音声再生速度」とは後述するように、再生音声により所望の再生位置を選択するために設定された再生速度で、聴覚で聴取可能な速度の範囲にあり、定常再生速度又は定常再生速度より若干大きい速度を含む。
【０００９】
本発明に係るＡＶ再生装置において、前記確認音声再生速度は、前記定常再生速度と同一又は前記定常再生速度との速度差が所定範囲内である構成とすることができる。
【００１０】
このような構成によれば、ＡＶコンテンツの映像が高速映像再生速度で再生するときに、再生される音声により再生ポイントの選択を可能とするために、ＡＶコンテンツの音声の確認音声再生速度を前記定常再生速度と同一又は前記定常再生速度との速度差が所定範囲内としたものである。所定範囲内とは、ＡＶコンテンツの視聴における再生速度である定常再生速度に対して、ユーザーが確認音声再生速度で再生される音声から再生ポイントの選択が可能である速度の範囲内をいうものである。
【００１１】
本発明に係るＡＶ再生装置において、前記確認音声スキップ制御手段は、所定時間毎に前記音声の再生ポイントをスキップさせる構成とすることができる。
【００１２】
このような構成によれば、確認音声再生速度で再生される音声を所定時間毎に再生ポイントをスキップさせるので、確認音声再生速度より大きい速度である高速映像再生速度で再生される映像に対して、時間的なズレを解消することが可能となる。これにより、スキップにより再生させる映像の内容と、再生される音声の内容との整合を図ることが可能となる。
【００１３】
本発明に係るＡＶ再生装置において、前記再生入力手段は、前記高速映像再生制御手段により高速映像再生速度にて再生された映像の映像選択ポイントの選択を受付ける映像選択ポイント入力手段を有し、前記再生制御手段は、前記映像選択ポイント入力手段で選択された前記映像選択ポイントから前記ＡＶコンテンツを定常再生速度により前記ＡＶコンテンツ再生部で再生させる構成とすることができる。
【００１４】
このような構成によれば、高速映像再生速度で再生される映像から所望の再生位置である映像選択ポイントを選択することができるので、例えば車両の停車中などは高速再生される映像から映像選択ポイントを選択入力することで、選択した前記映像選択ポイントの位置からＡＶコンテンツを定常再生速度で再生させることができる。
【００１５】
本発明に係るＡＶ再生装置は、前記映像選択ポイント入力手段への前記映像選択ポイントの選択は、前記ＡＶコンテンツが再生表示される表示部の表示画面の所定のボタン領域へのタッチ操作により行われ、前記音声選択ポイント入力手段への前記音声選択ポイントの選択は、前記表示画面の前記ボタン領域を除いた残りの領域へのタッチ操作により行われる構成とすることができる。
【００１６】
このような構成によれば、音声選択ポイントの選択が、表示画面の前記ボタン領域を除いた残りの領域へのタッチ操作により行うことができるので、例えば、運転中のときでもボタン領域を除いた残りの領域である、画面上のどの部分をタッチしても選択できるので、画面を注視する必要がなく、運転操作に支障を及ぼさない。
【００１７】
本発明に係るＡＶ再生装置は、上記したＡＶ再生装置を搭載した車両が走行状態と停止状態の何れであるかを検出する車両進行状態検出手段を有し、前記再生制御手段は、前記車両進行状態検出手段が前記車両を走行状態と検出したときは、前記映像選択ポイント入力手段による映像選択ポイントの選択の受付を停止する構成とすることができる。
【００１８】
このような構成によれば、ＡＶ再生装置を車両に搭載したときは、車両が走行状態であることを検出すると、映像選択ポイントの選択の受付を停止するので、運転中は音声選択ポイントによる選択によりＡＶコンテンツの再生が可能となるので、画面を注視することがなく、運転操作に支障を及ぼさない。
【００１９】
更に上記課題を解決するために、本発明に係るＡＶ再生方法は、再生するＡＶコンテンツの再生開始を受け付ける再生入力ステップと、該再生入力手段により再生開始を受付けたＡＶコンテンツの音声と映像とをＡＶコンテンツ再生部により定常再生速度で再生させる再生制御ステップとを有するＡＶ再生方法であって、前記再生制御ステップは、前記映像を、前記定常再生速度より大きい高速映像再生速度にて再生させる高速映像再生制御ステップと、前記音声を、前記高速映像再生速度より小さい確認音声再生速度にて再生させる確認音声再生制御ステップと、前記高速映像再生制御ステップ及び前記確認音声再生ステップでの制御に従って、前記ＡＶコンテンツの音声及び前記映像を再生している際に、予め定めた規則に従って、前記ＡＶコンテンツにおける前記音声の再生ポイントを前記確認音声再生速度より大きい速度をもってスキップさせる確認音声スキップ制御ステップと、を有し、前記再生入力ステップは、前記確認音声再生制御ステップにより確認音声再生速度にて再生された音声から定常再生速度で再生すべき音声選択ポイントの選択を受付ける音声選択ポイント入力ステップを有し、前記再生制御ステップは、前記音声選択ポイント入力ステップで選択された前記音声選択ポイントから前記ＡＶコンテンツを定常再生速度により前記ＡＶコンテンツ再生部で再生させる構成となる。
【００２０】
本発明に係るＡＶ再生方法において、前記確認音声再生速度は、前記定常再生速度と同一又は前記定常再生速度との速度差が所定範囲内である構成とすることができる。
【００２１】
本発明に係るＡＶ再生方法は、前記確認音声スキップ制御ステップは、所定時間毎に前記音声の再生ポイントをスキップさせる構成とすることができる。
【００２２】
本発明に係るＡＶ再生方法において、前記再生入力ステップは、前記高速映像再生制御ステップにより高速映像再生速度にて再生された映像の映像選択ポイントの選択を受付ける映像選択ポイント入力ステップを有し、前記再生制御ステップは、前記映像選択ポイント入力ステップで選択された前記映像選択ポイントから前記ＡＶコンテンツを定常再生速度により前記ＡＶコンテンツ再生部で再生させる構成とすることができる。
【００２３】
本発明に係るＡＶ再生方法において、前記映像選択ポイント入力ステップへの前記映像選択ポイントの選択は、前記ＡＶコンテンツが再生表示される表示部の表示画面の所定のボタン領域へのタッチ操作により行われ、前記音声選択ポイント入力ステップへの前記音声選択ポイントの選択は、前記表示画面の前記ボタン領域を除いた残りの領域へのタッチ操作により行われる構成とすることができる。
【００２４】
本発明に係るＡＶ再生方法において、上記いずれかのＡＶ再生方法によりＡＶコンテンツを再生する前記ＡＶコンテンツ再生部を搭載した車両が走行状態と停止状態の何れであるかを検出する車両進行状態検出ステップを有し、前記再生制御ステップは、前記車両進行状態検出手段が前記車両を走行状態と検出したときは、前記映像選択ポイント入力手段による映像選択ポイントの選択の受付を停止する構成とすることができる。
【発明の効果】
【００２５】
本発明によれば、ＡＶコンテンツ等の早送り、早戻しの操作において、高速映像再生速度より小さい確認音声再生速度にて再生させる音声に基づいて、定常再生速度でのＡＶコンテンツ再生ポイントを選択できるので、映像画面を注視することなく所望の再生ポイントを容易に選択することができる。
【図面の簡単な説明】
【００２６】
【図１】本発明の第１の実施の形態に係るＡＶ再生装置を含むＡＶ再生システムの構成を示すブロック図である。
【図２】本発明の第１の実施の形態に係るＡＶ装置の処理ユニットによる処理手順を示すフローチャートである。
【図３】本発明の第１の実施形態における映像再生及び音声再生のタイミング図である。
【図４】本発明の第２の実施の形態に係るＡＶ装置の処理ユニットによる処理手順を示すフローチャートである。
【図５】従来のＡＶ再生装置における映像再生のタイミング図である。
【発明を実施するための形態】
【００２７】
本発明の実施の形態に係るＡＶ再生装置を含むＡＶ再生装置システムについて図面を用いて説明する。
【００２８】
本発明の第１実施の形態に係るＡＶ再生装置１１を含むＡＶ再生システム１０は、図１に示すように構成される。
【００２９】
図１において、ナビゲーション機能を有する車載機器であるＡＶ再生装置１１は、コンピュータユニット（例えば、ＣＰＵ、ＲＯＭ、ＲＡＭ、インターフェース及びバス等を含む）によって構成される処理ユニット１３を有する。処理ユニット１３には、各種音源及び映像源（例えば、ＣＤ及びＤＶＤ）の再生処理が可能なＡＶユニット１５及び自車両のナビゲーションが可能なナビゲーションユニット１７（ＧＰＳ受信機、ジャイロ機器、加速度センサ等を含む）が接続されている。また、処理ユニット１３には、出力回路１９を間に介してスピーカ１８が接続されている。これによって、ＡＶユニット１５及びナビゲーションユニット１７による処理に係る音声信号を、出力回路１９を介してスピーカ１８から音声として出力することが可能となる。加えて、処理ユニット１３には、ＡＶユニット１５及びナビゲーションユニット１７において利用する楽曲情報及び地図情報、さらにＡＶ再生に関するアプリケーション等の各種情報を記憶可能な記憶部２０（例えば、ハードディスク、フラッシュメモリ等）と、ＬＣＤ等によって構成される各種処理に伴う映像等を表示する表示部２１と、表示部２１上にタッチパネル形式にて形成される各種処理に必要な指示が入力可能な操作部２３とが接続されている。なお、操作部２３には、上記したタッチパネル形式のもののほかに、ハードキーによる入力ボタンも含まれる。
【００３０】
さらに、車載機器であるＡＶ再生装置１１の処理ユニット１３には、車両後席の乗員が視聴する後席用表示機器２５が接続されている。後席用表示機器２５は、ＬＣＤ等によって構成される映像等を表示する後席用表示部２６と、後席用表示部２６上にタッチパネル形式にて形成される各種処理に必要な指示が入力可能な後席用操作部２７とで構成され、これら処理ユニット１３に接続されている。後席用操作部２７には、上記したタッチパネル形成のもののほか、ハードキーによる入力ボタンも含まれる。ＡＶ再生装置１１と後席用表示機器２５とでＡＶ再生システム１０を構成する。
【００３１】
上記したＡＶ再生システム１０では、図２に示すような手順にて処理がなされる。具体的には、ＡＶ再生装置１１の処理ユニット１３は、図２に示す手順にてＡＶコンテンツの映像、音声を再生する。以下、図２と、映像再生及び音声再生のタイミング図である図３とを参照して処理ユニット１３の動作手順を説明する。
【００３２】
図２において、処理ユニット１３は、操作部２３の所定ボタンのタッチ等による選択で所望のＡＶコンテンツをその開始点から再生する（Ｓ１１）。ユーザーが再生されたＡＶコンテンツの途中にある所定のシーンからの再生を希望するときは、早送り機能、早戻し機能を操作して所望のシーンへと迅速にアクセスすることができる。例えば、ユーザーが前回視聴したＡＶコンテンツの途中のシーンからの再生を希望するとき、又はＡＶコンテンツの所定のシーンを繰り返し視聴したいとき等に順方向へ高速再生する早送り機能と、逆方向へ高速再生する早戻し機能が操作される。
【００３３】
図３に示す表示部２１の表示画面２１ａ上に設けたタッチパネル式の操作部２３の再生ボタン（Ｐｌａｙボタン）２３ａをタッチ操作するとＡＶコンテンツが定常再生速度にて再生され、早送りボタン２３ｂをタッチ操作すると映像が再生順方向に早送りされ（本実施形態では定常再生速度の８倍の速度）、早戻しボタン２３ｃをタッチ操作すると映像が再生逆方向に早戻しされる（同じく定常再生速度の８倍の速度）。
【００３４】
処理ユニット１３は、ユーザーによる早送りボタン２３ｂのタッチ操作又は早戻しボタン２３ｃのタッチ操作の有無を検出する（Ｓ１２）。処理ユニット１３は、早送りボタン２３ｂのタッチ操作又は早戻しボタン２３ｃのタッチ操作を検出したときは（Ｓ１２のＹＥＳ）、映像を設定された所定の倍速（高速映像再生速度：例えば、８倍速等）で早送り再生又は早戻し再生を行うと共に、音声を所定の速度（確認音声再生速度：例えば、通常再生速度と等しい速度）でスキップ再生する（Ｓ１３：高速映像再生制御手段、確認音声再生制御手段、確認音声スキップ制御手段）。映像に較べて音声を聞き比べることが可能な速度範囲はかなり狭いものとなっているので、音声は高速映像再生速度より小さい確認音声再生速度で再生し、早送り再生の映像との時間調整のために、音声の一部を再生省略したスキップ再生させている。
【００３５】
上記した高速映像再生速度での映像の再生、確認音声再生速度での音声のスキップ再生の一例を、図３を参照して説明する。図３に示す例は、映像については普段ＡＶコンテンツを視聴する再生速度である定常再生速度の８倍速の早送り再生で、音声については確認再生速度（本実施形態では定常再生速度と等速度）で再生している。早送り再生開始から実時間（実際の時間）で、１０秒後、２０秒後、３０秒後、４０秒後、５０秒後及び６０秒後には、８倍速で早送りの高速再生する映像は、定常再生速度での８０秒後（１分２０秒後）、１６０秒後（２分４０秒後）、２４０秒後（４分後）、３２０秒後（５分２０秒後）、４００秒後（６分４０秒後）及び４８０秒後（８分後）に対応する映像が再生されている。なお、図３には記載がないがその後も上記同様の高速再生速度で映像が再生される。
【００３６】
一方、音声については確認音声再生速度でスキップ再生される。具体的には、早送り再生開始から実時間で、０秒後〜１０秒後の間には確認音声再生速度（＝定常再生速度）で０秒後〜１０秒後のＡＶコンテンツの音声が再生され、実時間で１０秒後〜２０秒後の間では、同じく確認音声再生速度で１分２０秒後〜１分３０秒後のＡＶコンテンツの音声が再生される。以下、上記同様に、実時間２０秒後〜３０秒後、３０秒後〜４０秒後、４０秒後〜５０秒後及び５０秒後〜６０秒後には、確認再生速度で２分４０秒後〜２分５０秒後、４分後〜４分１０秒後、５分２０秒後〜５分３０秒後及び６分４０秒後〜６分５０秒後のＡＶコンテンツの音声が再生される。上記以外の途中の音声は再生が省略される。なお、図３には記載がないがその後も上記同様の間隔でＡＶコンテンツの音声が再生される。
【００３７】
上記したように、ＡＶコンテンツの早送り再生では、８倍速の高速映像速度で再生される映像に対して、音声の再生は、１０秒間隔で途中の音声を飛ばす、スキップ再生を行うものである。上記スキップ再生により、各１０秒間の最初の部分において、再生映像と再生音声とが時間的に一致することになる。
【００３８】
処理ユニット１３は、上記したＡＶコンテンツの早送り再生において、定常再生速度での再生ポイントの選択の有無を検出する（Ｓ１４）。処理ユニット１３は、早送り再生停止の操作がある場合を除き、上記再生ポイントの選択がなされるまで、ＡＶコンテンツの早送り再生を続行する（Ｓ１４のＮＯ）。処理ユニット１３は、ＡＶコンテンツの再生ポイントの選択が、音声ポイントによる選択か、又は映像ポイントによる選択であるかを検出する（Ｓ１５）。８倍速の高速映像再生速度で再生される映像から、定常再生速度でのＡＶコンテンツ再生開始を行う映像選択ポイントの選択は、表示部２１の表示画面２１ａ上の再生ボタン２３ａのタッチ操作により、また確認音声再生速度でスキップ再生されている音声の通常再生速度でのＡＶコンテンツ再生開始を行う音声選択ポイントの選択は、上記表示画面の各ボタン２３ａ〜２３ｃを除く映像表示領域２１ｂへのタッチ操作により行われる。８倍速の早送りでの高速再生される映像の選択は、映像を注視して選択することから再生ボタン２３ａへのタッチ操作により映像選択ポイントの選択が可能であるが、確認音声速度で再生される音声の音声選択ポイントの選択は、画面を注視しなくても選択可能とするために、表示画面２１ａ上の広い領域である映像表示領域２１ｂへのタッチ操作によるものとした。これにより、音声選択ポイントの選択は画面を注視しなくとも可能となる。
【００３９】
処理ユニット１３は、映像選択ポイントの選択がなされたときは（Ｓ１５：映像選択ポイント入力手段）、選択された映像選択ポイントからＡＶコンテンツを再生する（Ｓ１６：再生制御手段）。例えば、図３に示すように、８倍速の早送りで映像が再生されるとき、早送り再生開始から実時間で４５秒後のときに、早送り再生されている映像（開始から６分後の映像）を映像選択ポイントとして選択すると（再生ボタン２３ａへのタッチ操作）、再生開始から６分後のＡＶコンテンツの映像及び音声から定常再生速度で再生される。
【００４０】
一方、処理ユニット１３は、音声選択ポイントの選択がなされたときは（Ｓ１５：音声選択ポイント入力手段）、選択された音声選択ポイントからＡＶコンテンツを再生する（Ｓ１７：再生制御手段）。例えば、図３に示すように、早送り再生開始から実時間で４５秒後のときに、確認音声速度（＝定常再生速度）で再生されている音声を音声選択ポイントとして選択すると（映像表示領域２１ｂへのタッチ操作）、早送り再生開始４０秒後〜５０秒後の範囲では、早送り再生開始後５分２０秒後〜５分３０秒後の範囲の音声が再生されているので、早送り再生開始から５分２５秒後の音声が音声選択ポイントとして選択されることになる。したがって、早送り再生開始から５分２５秒後のＡＶコンテンツの映像及び音声から定常再生速度で再生されることになる。このように、早送り再生のときに、映像が高速再生されているときでも、定常再生速度と同じ速度又は近接する速度である確認音声再生速度で再生し、高速再生する映像との時間差をスキップ再生で調整したものである。上記のように、早送り再生開始から実時間で４５秒後には、映像は早送り再生から３６０秒後（６分後）のものが表示され、音声は早送り再生開始から５分２５秒のものが音声出力されていることになるが、スキップ再生することで、高速再生される映像との時間差を一定時間毎（１０秒毎）に整合させることができる。
【００４１】
上記したように、早送り再生する場合でも、音声については確認音声再生速度によりスキップ再生させるので、音声による再生ポイント（音声選択ポイント）の選択が可能となり、さらに音声選択ポイントの選択が表示画面２１ａの映像表示領域２１ｂへのタッチ操作によることにしたので、機械操作中、運転操作中等であっても表示画面２１ａを注視又は注視することなく、選択操作が可能となった。
【００４２】
本実施形態では、早送り再生の場合での音声選択ポイントの選択等を説明したが、早戻し再生の場合も同様である。映像は早送り再生の場合は再生方向がＡＶコンテンツの再生順方向であるのに対し、早戻し再生の場合は再生方向がＡＶコンテンツの再生逆方向となる。これに対し、音声の場合は早送り再生及び早戻し再生のいずれの場合もＡＶコンテンツの再生順方向に確認音声再生速度で再生される。例えば、図３に示す実時間６０秒後のときに早戻し再生に切り替えると、同切り替え時である８分後の映像から再生逆方向に８倍速で映像が高速映像再生速度で再生され、早戻し再生開始時から１０秒後の間は、確認音声再生速度で例えば７分５０秒後〜８分後の音声が順方向に再生され、その後スキップ再生により次の１０秒間は６分３０秒後〜６分４０秒後の音声が順方向に再生される。以下同様の間隔で音声がスキップ再生される。すなわち、映像が早戻しのように逆方向再生の場合には、音声のスキップの方向は逆方向になるが、スキップ後の確認音声速度での再生は順方向に再生される。これにより、早戻しの場合も音声は順方向に確認音声速度で再生されるので再生ポイント（音声選択ポイント）の選択が可能となる。なお、表示部２１の表示画面と後席用表示機器２５の後席用表示部２６の表示画面とは同じ映像が再生表示される。また、後席用操作部２７からも早送り、早戻し等を含む再生操作、音声選択ポイントの選択及び映像選択ポイントの選択も可能である。また、確認音声再生速度を定常再生速度と同一としたが、聴別可能であれば定常再生速度より大きい速度としてもよい。また、スキップ再生の速度、間隔等を途中で変更することも可能である。
【００４３】
次に、本発明の第２実施の形態に係るＡＶ再生装置を含むＡＶ再生システムを説明する。本実施形態では第１実施形態と共通の部分は、同一名称及び同一符号を付して相違点を中心に説明する。第１実施形態との主な相違点は、車載機器であるＡＶ再生装置１１を搭載する車両（不図示）が走行中であるときは、早送り再生中及び早戻し再生中における再生ポイントの選択が音声選択ポイントの選択のみとなる点である。映像選択ポイントの選択を停止することで、運転操作中における運転者の画面注視等による前方不注意等を防止するものである。
【００４４】
ＡＶコンテンツの再生開始（Ｓ２１）、早送り／早戻し操作の検出（Ｓ２２）、早送り／早戻し操作の検出後の映像の高速映像再生速度での再生と、音声の確認再生速度によるスキップ再生（Ｓ２３）は第１実施形態と同様である。処理ユニット１３は、車両が走行中又は停止中であるかの検出を行う（Ｓ２４）。走行中か停止中であるかの検出は、走行メータ、ナビゲーションユニット１７の各センサ等の検出値等により可能である。処理ユニット１３は、車両が走行中であることを検出したときは（Ｓ２４：車両走行検出）、音声選択ポイントの選択の有無を検出する（Ｓ２５）。車両走行中に映像選択ポイントの選択のために、再生ボタン２３ａのタッチ操作があっても、処理ユニット１３は上記選択を受付けず（Ｓ２５のＮＯ）、映像表示領域２１ｂへのタッチ操作による音声選択ポイントの選択のみを受付ける。処理ユニット１３は、音声選択ポイントの選択がなされたときは（Ｓ２５のＹＥＳ：音声選択ポイント入力手段）、選択された音声選択ポイントからＡＶコンテンツを再生する（Ｓ２６：再生制御手段）。
【００４５】
一方、処理ユニット１３は、車両が停止中であることを検出したときは（Ｓ２４：車両停止検出）、映像選択ポイントの選択の有無を検出する（Ｓ２７）。車両停止中に音声選択ポイントの選択のために、映像表示領域２１ｂのタッチ操作があっても、処理ユニット１３は上記選択を受付けず（Ｓ２７のＮＯ）、再生ボタン２３ａへのタッチ操作による映像選択ポイントの選択のみを受付ける。処理ユニット１３は、映像選択ポイントの選択がなされたときは（Ｓ２７のＹＥＳ：映像選択ポイント入力手段）、選択された映像選択ポイントからＡＶコンテンツを再生する（Ｓ２８：再生制御手段）。上記したように停止中は画面を注視しても支障がないので、映像選択ポイントのみの選択としたが、停止中のときに映像選択ポイントの選択と共に、音声選択ポイントの選択による再生も可能としても良い。映像、音声の双方から再生ポイントの選択が可能となることで、操作性が向上すると考えられる。
【００４６】
上記したように、本実施形態によれば、ＡＶ再生装置の表示画面を注視等せずに早送り等による再生ポイントの選択が可能となるので、運転中の運転者、機械操作中の操作者にとっても支障なく操作することができる。
【産業上の利用可能性】
【００４７】
以上、説明したように、本発明に係るＡＶ再生装置は、ＡＶコンテンツ等の早送り／早戻し操作において、高速映像再生速度より小さい確認音声再生速度にて再生させる音声に基づいて、定常再生速度でのＡＶコンテンツ再生ポイントを選択できるので、映像画面を注視することなく所望の再生ポイントを容易に選択することができるという効果を奏し、車載機器としてのＡＶ再生装置として有用である。
【符号の説明】
【００４８】
１０    ＡＶ再生システム
１１    ＡＶ再生装置
１３    処理ユニット
１５    ＡＶユニット
１７    ナビゲーションユニット
１８    スピーカ
１９    出力回路
２０    記憶部
２１    表示部
２３    操作部
２５    後席用表示機器
２６    後席用表示部
２７    後席用操作部
【図１】
2017005351.tif 000003
【図２】
2017005351.tif 000004
【図３】
2017005351.tif 000005
【図４】
2017005351.tif 000006
【図５】
2017005351.tif 000007